(57)【要約】【課題】薬袋の表裏のいずれにも情報記載が行えるとともに、薬袋の表裏のいずれからでも収容した薬を見て確認できるようにし、薬袋に収容した薬の確認が簡単に行えるようにする。【解決手段】底部折り部４を介して連接した封筒表紙２と封筒裏紙３とを重ね合わせ、対向する辺を貼り合わせ、底部折り部４の位置を通って封筒表紙２から封筒裏紙３に亘る領域に開口７を設けて、開口７を薬袋表裏で重なる位置とし、該開口７を透明フィルム８で覆った。【選択図】　　図１
2004089449.tif 000002
【特許請求の範囲】
【請求項１】
封筒底に位置する底部折り部を介して連接された封筒表紙と封筒裏紙とが重ね合わされて、底部折り部に直交して対向する辺を貼り合わせた上辺開放の封筒型の薬袋であって、前記底部折り部の位置を通って前記封筒表紙から封筒裏紙に亘る領域に開口を設けて、薬袋表裏の重なる位置に開口を配し、該開口を透明フィルムで覆ったことを特徴とする薬袋。
【請求項２】
底部折り部を介して封筒表紙と封筒裏紙とが連接され、前記底部折り部から封筒表紙と封筒裏紙とを折り合わせたときに対向する辺に接着剤が塗布されて、底部折り部から封筒表紙と封筒裏紙とを重ね合わせして対向辺部を貼り合わせることにより、上辺開放の封筒型の薬袋を形成するフォームであって、
前記底部折り部の位置を通って前記封筒表紙から封筒裏紙に亘る領域に開口を設けて、該開口が透明フィルムで覆われていることを特徴とする薬袋用フォーム。
【発明の詳細な説明】
【０００１】
【発明の属する技術分野】
本発明は薬袋とこの薬袋を作成するための薬袋用フォームに関するものである。
【０００２】
【発明が解決しようとする課題】
従来、病院などにおいて患者側に提供される治療薬（内服薬、貼り薬、塗り薬など）は、上辺が開放された封筒型の薬袋に収容して手渡すようにしており、受け渡しの際には収容した薬の種類、服用方法などの説明を口頭にて伝えるとともに、収容した薬の種類、服用方法などの情報をその薬袋の封筒表紙に記載するようにしていた。
しかしながら、従来から用いられている薬袋は紙材からなるものであるため、薬袋内に入れた薬を外方から確認することができず、上辺側から薬袋内を覗いたり、薬を外部に出して確認するなどの手間を要している。
【０００３】
この対策として、薬袋全体を透明フィルムにて構成することが考えられるが、上述したように内部に入れる薬の種類や服用方法などの情報を記載する必要があることから、筆記性に極めて乏しい透明フィルムから薬袋を作成することができない。また、薬袋の裏面側を透明フィルムとしたものが提案されているが、透明フィルム側からしか収容物を確認できず、記載情報と収容物を確認する都度、薬袋の表裏を返す必要があって、収容した薬を確認するに際してはやはり手間の要するものとなっていた。
そこで本発明は上記事情に鑑み、薬袋の表裏のいずれにも情報記載が行えるとともに、薬袋の表裏のいずれからでも収容した薬を見て確認できるようにすることを課題とし、薬袋に収容した薬の確認が簡単に行えるようにすることを目的とする。
【０００４】
【課題を解決するための手段】
本発明は上記課題を考慮してなされたもので、封筒底に位置する底部折り部を介して連接された封筒表紙と封筒裏紙とが重ね合わされて、底部折り部に直交して対向する辺を貼り合わせた上辺開放の封筒型の薬袋であって、前記底部折り部の位置を通って前記封筒表紙から封筒裏紙に亘る領域に開口を設けて、薬袋表裏の重なる位置に開口を配し、該開口を透明フィルムで覆ったことを特徴とする薬袋を提供して、上記課題を解消するものである。
また、もう一つの発明は、底部折り部を介して封筒表紙と封筒裏紙とが連接され、前記底部折り部から封筒表紙と封筒裏紙とを折り合わせたときに対向する辺に接着剤が塗布されて、底部折り部から封筒表紙と封筒裏紙とを重ね合わせして対向辺部を貼り合わせることにより、上辺開放の封筒型の薬袋を形成するフォームであって、前記底部折り部の位置を通って前記封筒表紙から封筒裏紙に亘る領域に開口を設けて、該開口が透明フィルムで覆われていることを特徴とする薬袋用フォームであり、この薬袋要フォームを提供して上記課題を解消するものである。
【０００５】
【発明の実施の形態】
つぎに本発明を図１から図４に示す実施の形態に基づいて詳細に説明する。
図中１は薬袋で、該薬袋１は図１と図２に示すように上辺開放の封筒型としたものであり、封筒表紙２と封筒裏紙３とが封筒底に位置する底部折り部４を介して連接され、底部折り部４と直交して相対する側辺同士、即ち、底部折り部４から折って重ね合わされた封筒表紙２と封筒裏紙３との相対する側辺２ａ，３ａ同士を接着剤Ｓにて貼り合わせたものである。
薬袋１の封筒表紙２と封筒裏紙３との表面それぞれは筆記性、インキ受領性を備えている。そして、封筒表紙２の表面には封筒底側を除く領域に、飲み薬などのタイトルや病院名などの固定情報を印刷した表示が設けられているとともに、薬袋１に収容した薬の名前や数量、服用方法などの可変情報を記載できるようにした可変情報記載部５が設けられている。また、封筒裏紙３の表面には封筒底側を除く領域に、薬に対する取り扱い注意事項などの固定情報を印刷した表示が設けられている。
【０００６】
この薬袋１にあっては、図示されているように封筒底を介して封筒表紙２から封筒裏紙３に連続して薬袋表裏で重なる位置となる窓６を有している。この窓６は、底部折り部４の位置を通って封筒表紙２から封筒裏紙３に亘る領域に跨る開口７を設けて、この開口７を薬袋表裏で重なる位置とし、そして該開口７を薬袋１の内部側から透明フィルム８で覆ったものであり、透明フィルム８の周辺を開口周辺の薬袋１の内方側となる面に接着して、この透明フィルム８を固定している。
このように開口７を透明フィル８で覆ってなる窓６を、封筒底を介して封筒表紙２から封筒裏紙３に連続するようにして有しているため、この薬袋１に収容した薬は封筒表紙２や封筒裏紙３の何れ側からでも見て確認することができる。そして、封筒表紙２、封筒裏紙３とのそれぞれには可変情報や固定情報が設けられているので、これらの情報と対比しながら薬袋１内の薬を見ることができ、薬袋１の表裏を返すことなく薬袋１の薬の種類、数量などを確認できるとともに、前記可変情報や固定情報と薬との突き合わせ確認なども簡単に行えるようになる。
なお、上記実施の例において、封筒表紙２と封筒裏紙３との上辺を同一の高さにして揃えているが、何れか一方の上辺を情報に延設してその延設部分に封緘片の役割を行わせるようにしてもよい。また、封筒表紙２側の窓６の上縁高さと封筒裏紙３側の窓６の上縁高さとは必ずしも同一である必要はない。
【０００７】
上記薬袋１は、封筒表紙２と封筒裏紙３とが底部折り部４を介して連接した薬袋用フォーム９から作成されるものであり、この封筒表紙２と封筒裏紙３とが底部折り部４を介して連接した部分を一単位とし、封筒表紙２と封筒裏紙３との連接方向と直交する方向に複数単位が分離可能に連続する形態にしてこの薬袋用フォーム９が作成されている。
そして、薬袋１の封筒表紙２側から封筒裏紙３側に連続する窓６が得られるようにするために、底部折り部４の位置を通って封筒表紙２から封筒裏紙３に亘る領域に開口７を設け、この開口７それぞれに透明フィルム８を薬袋１の内方となる側から窓貼りして、前記開口７を透明フィルム８にて覆っている。
この薬袋用フォーム９から封筒表紙２と封筒裏紙３とを重ね合わせながら、相対する辺を接着し、単位ごとに分離することで薬袋１が得られる。
なお、連続形態の薬袋用フォームにおいて開口７それぞれに透明フィルム８を窓貼りしているが、複数単位が連続する方向に帯状とした透明フィルム８を配して、開口７それぞれを覆うようにしてもよく、この場合、単位ごとに分離するときにこの帯状の透明フィルム８が分断されるようにすればよい。
また、薬袋用フォーム９として複数単位が連続したものを例示したが、本発明はこの例に限定されるものではなく、単位ごとに独立した形態であってもよい。
【０００８】
【発明の効果】
以上説明したように本発明により、薬袋の封筒表紙と封筒裏紙とのいずれからも開口を通して薬袋内部を見ることができ、薬袋の表裏を返す手間なく収容した薬の確認が行える。そして、封筒表紙や封筒裏紙に記載された情報と薬との突き合わせも、その薬を薬袋から取り出すことなく行え、薬袋内に収容した薬の管理を、手で薬に触れることなく行えるようになるなど、実用性に優れた効果を奏するものである。
【図面の簡単な説明】
【図１】本発明に係る薬袋の一例を一部切り欠いて示す説明図である。
【図２】薬袋の一例を断面で示す説明図である。
【図３】封筒裏紙側を示す説明図である。
【図４】本発明に係る薬袋用フォームの一例を示す説明図である。
【符号の説明】
１…薬袋
２…封筒表紙
３…封筒裏紙
４…底部折り部
６…窓
７…開口
８…透明フィルム
９…薬袋用フォーム
【図１】
2004089449.tif 000003
【図２】
2004089449.tif 000004
【図３】
2004089449.tif 000005
【図４】
2004089449.tif 000006